(57)【特許請求の範囲】
【請求項１】
軸方向に沿って配筋された複数の軸方向鉄筋と、
前記軸方向鉄筋の配置に応じて複数の貫通孔が形成された枠状の孔あき鋼材と、からなる配筋構造であって、
前記孔あき鋼材は、外縁または内縁に形成されたフランジを備えて断面視Ｔ字状を呈していて、前記貫通孔に前記軸方向鉄筋を挿通した状態で前記軸方向鉄筋の軸方向に間隔をあけて複数配設されており、前記軸方向鉄筋の座屈を抑制することを特徴とする、配筋構造。
【請求項２】
軸方向に沿って配筋された複数の軸方向鉄筋と、
前記軸方向鉄筋の配置に応じて複数の貫通孔が形成された枠状の孔あき鋼材と、からなる配筋構造であって、
前記孔あき鋼材は、外縁および内縁に形成されたフランジを備えて断面視Ｈ字状またはＩ字状を呈していて、前記貫通孔に前記軸方向鉄筋を挿通した状態で前記軸方向鉄筋の軸方向に間隔をあけて複数配設されており、前記軸方向鉄筋の座屈を抑制することを特徴とする、配筋構造。
【発明の詳細な説明】
【技術分野】
【０００１】
本発明は、鉄筋コンクリート構造物の配筋構造に関する。
【背景技術】
【０００２】
橋脚や柱部材の鉄筋コンクリート構造物１００を構築する場合において、図４に示すように、軸方向鉄筋（主筋）１０１，１０１，…と軸方向鉄筋の外周囲を覆うせん断補強筋（帯筋）１０２を配筋する場合がある。
また、コンクリート構造物１０１の断面が大型の場合は、せん断補強筋１０２のはらみ出しを拘束することを目的として、中間帯鉄筋１０３，１０３，…を配筋する場合がある（例えば、特許文献１参照）。
【０００３】
このような鉄筋コンクリート構造物の配筋は、軸方向に沿って軸方向鉄筋を配筋し、この軸方向鉄筋の外側を覆うように軸方向と直交する向きに帯筋やあばら筋などのせん断補強筋を配筋し、さらに両端部をせん断補強筋の外側に係止させた状態で断面内を横切るように中間帯鉄筋を配筋することにより行う必要がある。
【先行技術文献】
【特許文献】
【０００４】
【特許文献１】特開２００９−１４４３４４号公報
【発明の概要】
【発明が解決しようとする課題】
【０００５】
前記従来の鉄筋コンクリート構造物１００の施工は、軸方向鉄筋１０１，１０１，…、せん断補強筋１０２および中間帯鉄筋１０３，１０３，…の組立の順序や配置等が複雑であるため、作業に手間を要していた。
【０００６】
本発明は、前記の問題点を解決するものであり、優れた構造性能を有したコンクリート構造物を、簡易に構築することを可能とした配筋構造を提案することを課題とする。
【課題を解決するための手段】
【０００７】
前記課題を解決するために、本発明は、軸方向に沿って配筋された複数の軸方向鉄筋と、前記軸方向鉄筋の配置に応じて複数の貫通孔が形成された枠状の孔あき鋼材とからなる配筋構造であって、前記孔あき鋼材は、前記貫通孔に前記軸方向鉄筋を挿通した状態で前記軸方向鉄筋の軸方向に間隔をあけて複数配設されており、前記軸方向鉄筋の座屈を抑制することを特徴としている。なお、孔あき鋼材は、外縁および内縁のいずれか一方、または、両方にフランジが形成されていて、断面視Ｔ字状、Ｈ字状またはＩ字状を呈していることで剛性が高められている。
【０００８】
かかる配筋構造によれば、孔あき鋼材自体が従来のせん断補強筋よりも剛性が高いため、鉄筋コンクリート構造物に大きな地震荷重が作用した場合であっても、軸方向鉄筋のはらみ出し（座屈）を抑制することができる。そのため、中間帯鉄筋の配筋をする必要がなく、鋼材量の低減化が可能となる。
また、配筋作業は、孔あき鋼材の貫通孔に軸方向鉄筋を挿通することにより行えばよく、せん断補強筋と中間帯鉄筋とを組み立てる必要がある従来の配筋構造と比べて作業が簡易で、施工の省略化が可能である。
【発明の効果】
【００１０】
本発明の配筋構造によれば、優れた構造性能を有したコンクリート構造物を簡易に構築することが可能となる。
【図面の簡単な説明】
【００１１】
【図１】本発明の実施形態に係る配筋構造を示す斜視図である。
【図２】他の形態に係る配筋構造を示す斜視図である。
【図３】（ａ）〜（ｃ）は孔あき鋼材の他の形態を示す斜視図である。
【図４】従来の配筋構造を示す平面図である。
【発明を実施するための形態】
【００１２】
本実施形態の配筋構造１は、図１に示すように、鉄筋コンクリート製の柱部材２の補強部材であって、主筋３，３，…と孔あき鋼材４とから構成されている。つまり、配筋構造１には、主筋３，３，…を囲うように配筋されるフープ状の鉄筋（あばら筋や帯筋等）や中間帯鉄筋が配筋されていない。
【００１３】
主筋３は、柱部材２の軸方向に沿って配筋された軸方向鉄筋であって、柱部材２の外周面に沿って、間隔をあけて複数本配置されている。
なお、主筋３の鉄筋径および配筋ピッチは、適宜設定すればよい。
【００１４】
孔あき鋼材４は、枠状の鋼板により構成されている。孔あき鋼材４は、柱部材２の外面から所定の被りコンクリート厚さを確保するものとする。本実施形態の孔あき鋼材４は、柱部材２の断面形状に応じて、矩形状に形成されている。
なお、孔あき鋼材４の形状は、コンクリート部材（柱部材）の断面形状に応じて適宜設定すればよく、例えば、図２に示すようにコンクリート部材の断面形状が円形の場合には、孔あき鋼材４も円形に形成すればよい。
【００１５】
また、孔あき鋼材４には、主筋３，３，…のピッチに応じて複数の貫通孔４１，４１，…が形成されている。貫通孔４１は、主筋３の鉄筋径よりも大きな内径を有している。
【００１６】
孔あき鋼材４は、主筋３，３，…を貫通孔４１，４１，…に挿通させた状態で、主筋３の軸方向に間隔をあけて複数配設されている。
【００１７】
孔あき鋼材４には、図３の（ａ）に示すように、外縁にフランジ４２が一体に形成されていることで、断面視Ｔ字状を呈していてもよい。孔あき鋼材４にフランジ４２が形成されていれば、孔あき鋼材４の剛性が向上する。
【００１８】
なお、フランジ４２は、図３の（ｂ）に示すように、孔あき鋼材４の内縁に一体に形成されていてもよい。
【００１９】
また、フランジ４２を孔あき鋼材４の外縁および内縁の両方に形成することで、断面視Ｈ字状またはＩ字状の孔あき鋼材４としてもよい。
【００２０】
本実施形態の配筋構造１によれば、孔あき鋼材４が配設されているため、主筋の座屈を効果的に抑制することができ、高いじん性を有した柱部材３（コンクリート部材）を提供することが可能となる。
つまり、孔あき鋼材４自体の剛性が、通常のせん断補強筋（帯筋）よりも高いため、地震荷重により損傷を受けた柱部材の主筋のはらみ出し（座屈）抑制することができる。
【００２１】
また、孔あき鋼材４により、座屈を抑制することができるため、従来の配筋構造において配筋された中間帯鉄筋を省略することができる。そのため、中間帯鉄筋を配筋するための手間を省略することができるとともに、中間帯鉄筋を省略することにより鋼材量の低減化が可能となる。故に、施工費および材料費の低減化を図ることが可能となる。
【００２２】
孔あき鋼材は、予め工場等において、所定の間隔により貫通孔４１，４１，…が形成されているため、施工時には、主筋３，３，…を貫通孔４１，４１，…に挿通させて、結束線等で留めるだけで配筋作業が完了するため、主筋、せん断補強筋および中間帯鉄筋を備えた従来の配筋構造の鉄筋組立作業の煩雑さを解消し、作業効率が大幅に改善される。
【００２３】
孔あき鋼材４にフランジ４２が形成されていれば、柱部材２が大断面であっても、フランジ４２を備えることにより剛性が高められた孔あき鋼材４により主筋３の座屈を抑制することができる。
【００２４】
以上、本発明について、好適な実施形態について説明した。しかし、本発明は、前述の実施形態に限られず、前記の各構成要素については、本発明の趣旨を逸脱しない範囲で、適宜変更が可能である。
【００２５】
例えば、前記実施形態では、柱部材に対して、本発明の配筋構造を採用する場合について説明したが、本発明の配筋構造が適用可能なコンクリート部材は限定されるものではなく、例えば、梁や橋脚等に採用してもよい。
【００２６】
主筋が２重（２列）に配筋されている場合には、孔あき鋼材に対して貫通孔を２列形成してもよいし、各主筋の列に対して孔あき鋼材を配置してもよいし、または外側の主筋のみに孔あき鋼材を配置してもよい。
【符号の説明】
【００２７】
１    鉄筋構造
２    柱部材（コンクリート部材）
３    主筋（軸方向鉄筋）
４    孔あき鋼材
４１  貫通孔
【図１】
0005902960.tif 000002
【図２】
0005902960.tif 000003
【図３】
0005902960.tif 000004
【図４】
0005902960.tif 000005